(57)【要約】      （修正有）【課題】スポークの緩み、または破断に際しても、スポークが離れることがないハブを提供する。【解決手段】自転車の車輪用のハブ本体１０であって、長手軸Ｘ−Ｘに沿って伸び、かつ両側に対置する一対の端部２５，２６を有し、一対の端部２５，２６の少なくとも一方には個々のスポーク１００の端部１１０，１２０を収容する複数の着座部４５，４６，４７が形成された環状の前表面３５，３６を備えた、実質的に筒状である本体２０を有する。着座部のうちの少なくとも幾つかは、全ての作動状況においてスポーク１００が長手軸Ｘ−Ｘに実質的に平行な方向に沿って動かないようにする保持手段８０，８１を備える。【選択図】図２
2006021765.tif 000002
【特許請求の範囲】
【請求項１】
長手軸（Ｘ−Ｘ）に沿って伸び、かつ両側に対置する一対の端部（２５，２６）が装備された実質的に筒状である本体（２０）であって、前記一対の端部（２５，２６）の少なくとも一方の端部は環状の前表面（３５，３６）を備える前記本体（２０）と、
前記実質的に筒状である本体（２０）の前記環状の前表面（３５，３６）に形成されかつ個々のスポーク（１００）の端部（１１０，１２０）を収容するようにされた複数の着座部（４５，４６，４７）と、
を備えた自転車の車輪のためのハブ本体（１０）において、
前記複数の着座部（４５，４６，４７）のうちの少なくとも幾つかの着座部は、全ての作動状況において前記スポーク（１００）が前記長手軸（Ｘ−Ｘ）に実質的に平行な方向に沿って動かないようにする保持手段（８０，８０ａ，８１，８２）を備えることを特徴とするハブ本体。
【請求項２】
請求項１において、前記複数の着座部の全ての着座部（４５，４６，４７）は前記保持手段（８０，８０ａ，８１，８２）を備えるハブ本体。
【請求項３】
請求項１または２において、前記保持手段（８０，８０ａ，８１，８２）は前記環状の前表面（３５，３６）と一体的に形成されかつ前記着座部（４５，４６，４７）で少なくとも部分的に伸びているハブ本体。
【請求項４】
請求項３において、前記保持手段（８０，８０ａ）は、前記実質的に筒状である本体（２０）に取り付けられるスポークの本体部位（１００）の断面の最大サイズより小さい所定の長さ（Ｌａ）の開口（９０）を形成しているハブ本体。
【請求項５】
請求項４において、前記保持手段は、前記複数の着座部の個々の着座部（４５，４７）で片持ち式に伸びる少なくとも１つのエレメント（８０，８０ａ）を備えかつ前記所定長さ（Ｌａ）の開口（９０）を形成しているハブ本体。
【請求項６】
請求項５において、前記保持手段は、前記複数の着座部の個々の着座部（４５，４７）で両側から伸び、かつその間に前記所定長さ（Ｌａ）の開口（９０）を形成する１対のエレメント（８０，８０ａ）を備えるハブ本体。
【請求項７】
請求項４から６までの何れか一項において、前記開口（９０）の前記所定の長さ（Ｌａ）は、前記実質的に筒状である本体（２０）に取り付けられるフラットスポークの本体部位（１００）の断面の最小サイズより大きく、前記フラットスポークの本体部位（１００）の前記断面の最大サイズより小さいハブ本体。
【請求項８】
請求項４から６までの何れか一項において、前記開口（９０）の前記所定長さ（Ｌａ）は円柱形のスポークの本体部位の断面の直径より小さいハブ本体。
【請求項９】
請求項３において、前記保持手段は、前記実質的に筒状である本体（２０）の前記環状の前表面（３５，３６）との連続性が途切れることなく、前記複数の着座部の個々の着座部（４５）で伸びる単一のブリッジ状エレメント（８１，８２）を備えるハブ本体。
【請求項１０】
請求項１から９までの何れか一項において、前記着座部（４５，４６，４７）は個々のスポーク（１００）のハブへの取付けのための頭部（１１０）用の第１のハウジング部（４５０，４６０，４７０）と、前記ハブへの取付けのための頭部（１１０）に直近する前記スポーク（１００）の本体用の第２のハウジング部（４５５，４６５，４７５）とを備え、前記保持手段（８０，８０ａ，８１）は前記第１のハウジング部（４５０，４６０，４７０）で形成されているハブ本体。
【請求項１１】
請求項１から９までの何れか一項において、前記着座部（４５，４６，４７）は個々のスポーク（１００）のハブへの取付けのための頭部（１１０）用の第１のハウジング部（４５０，４６０，４７０）と、前記ハブへの取付けのための頭部（１１０）に直近する前記スポーク（１００）の本体用の第２のハウジング部（４５５，４６５，４７５）とを備え、前記保持手段（８０，８０ａ，８１）は前記第２のハウジング部（４５５，４６５，４７５）で形成されているハブ本体。
【請求項１２】
請求項１から９までの何れか一項において、前記着座部（４５，４６，４７）は個々のスポーク（１００）のハブへの取付けのための頭部（１１０）用の第１のハウジング部（４５０，４６０，４７０）と、前記ハブへの取付けのための頭部（１１０）に直近する前記スポーク（１００）の本体部用の第２のハウジング部（４５５，４６５，４７５）とを備え、前記保持手段（８０，８０ａ，８１）は前記第１のハウジング部（４５０，４６０，４７０）と前記第２のハウジング部（４５５，４６５，４７５）との間の領域で形成されているハブ本体。
【請求項１３】
請求項１から９までの何れか一項において、前記保持手段（８０，８０ａ，８１，８２）は半径方向に、かつ前記実質的に筒状である本体（２０）の内側に伸びるハブ本体。
【請求項１４】
請求項１から９までの何れか一項において、前記保持手段（８０，８０ａ，８１，８２）は、半径方向に、かつ前記実質的に筒状である本体（２０）の外側に伸びるハブ本体。
【請求項１５】
請求項１０から１４までの何れか一項において、前記着座部（４５，４６，４７）の前記第１のハウジング部（４５０，４６０，４７０）は前記スポーク（１００）の前記ハブへの取付けのための頭部（１１０）に合致する形状を有するハブ本体。
【請求項１６】
請求項１５において、前記合致する形状は円錐台形であるハブ本体。
【請求項１７】
請求項１から１６までの何れか一項において、前記着座部（４５）は前記本体（２０）の前記環状の前表面（３５）上でそれぞれの半径方向に向けられているハブ本体。
【請求項１８】
請求項１から１６までの何れか一項において、前記着座部（４５）は前記本体（２０）の前記環状の前表面（３５）上でそれぞれの非半径方向に向けられているハブ本体。
【請求項１９】
請求項１から１６までの何れか一項において、前記着座部（４６，４７）は前記本体（２０）の前記環状の前表面（３６）上で交差したスポーク配置となるような向きに置かれるハブ本体。
【請求項２０】
請求項１９において、
前記実質的に筒状である本体（２０）の第１の端部（２６）の第１の環状部（２６１）で形成されて個々の第１のスポークの端部（１１０，１２０）を収容する複数の第１の着座部（４６）と、
前記実質的に筒状である本体（２０）の前記第１の端部（２６）の第２の環状部（２６２）で形成されて個々の第２のスポークの端部（１１０，１２０）を収容する複数の第２の着座部（４７）とを備え、
前記実質的に筒状である本体（２０）の前記第１の端部（２６）の前記第２の環状部（２６２）は前記長手軸（Ｘ−Ｘ）に沿って前記実質的に筒状である本体（２０）の前記第１の端部（２６）の前記第１の環状部（２６１）に対して外側に隣接配置され、前記複数の第１及び第２の着座部（４６，４７）は前記個々の第２のスポークの各スポークが前記個々の第１のスポークの少なくとも１つのスポークと交差するような向きに置かれており、
前記保持手段（８０，８０ａ，８１，８２）は、前記複数の第２の着座部（４７）に形成されているハブ本体。
【請求項２１】
請求項１から２０までの何れか一項において、前記一対の端部（２５，２６）の両方は共に前記環状の前表面（３５，３６）を備えるハブ本体。
【請求項２２】
請求項２１において、前記実質的に筒状である本体（２０）の前記一対の端部（２５，２６）の第１の端部（２５）における着座部（４５）は、それぞれの環状の前表面（３５）上で個々の半径方向に沿う向きに置かれ、前記実質的に筒状である本体（２０）の反対側の端部（２６）における着座部（４６，４７）は、個々の環状の前表面（３６）上で交差したスポーク配置を実現するような向きに置かれたハブ本体。
【請求項２３】
請求項２１または２２において、前記実質的に筒状である本体（２０）の前記一対の端部（２５，２６）の両端部における着座部（４５，４７）は、個々の環状の前表面（３５，３６）上で個々の半径方向に向けられるハブ本体。
【請求項２４】
請求項２１または２２において、前記実質的に筒状である本体（２０）の前記一対の端部（２５，２６）の両端部における着座部（４５，４７）は、個々の環状の前表面（３５，３６）上で交差したスポーク配置となるように向けられるハブ本体。
【請求項２５】
個々のスポーク（１００）の端部を収容する複数の着座部（４５，４６，４７）を備えるハブ本体（１０）と、
前記ハブ本体（１０）内部を長手軸（Ｘ−Ｘ）に沿って伸びかつ自転車のフレームに取り付けられるようにされたシャフトと、
を有する自転車の車輪のためのハブにおいて、
前記ハブ本体（１０）は、請求項１から２４までの何れか一項に記載されたハブ本体（１０）であることを特徴とするハブ。
【請求項２６】
ハブと、
リムと、
前記ハブと前記リムとの間を伸張する複数のスポーク（１００）とを備えた自転車の車輪において、
前記ハブは請求項１から２４までの何れか一項に記載されたハブ本体（１０）を備えることを特徴とする車輪。
【発明の詳細な説明】
【技術分野】
【０００１】
本発明は、自転車の車輪用の、特に競輪用自転車の車輪用のハブ本体に関する。本発明はまた、このようなハブ本体を備える自転車の車輪用のハブ、及びこのようなハブを備える自転車の車輪に関する。
【背景技術】
【０００２】
周知のように、自転車の車輪は、車輪の中心にあるエレメントであり、自転車のフレームに取り付けられるハブと、タイヤが装着されるリムとの間で伸張する複数のスポークを備える。
【０００３】
ハブは、スポーク及びシャフトが装着される本体と、ベアリングを介して前記本体と一体的かつ回転可能に取り付けられ、本体の内側で長手方向に伸び、その自由端を介して自転車のフレームに接続されるシャフトとを備える。
【０００４】
技術上周知でありかつスポークの組立ての実用性及び簡易性の面で特に効果的であるハブの一例は、本願出願人の特許文献１に開示されている。これは、特にフラットスポークのためのハブであり、そのハブ本体は、スポークを収容する着座部を構成する複数の半径方向の前側凹み（front recess）を有する環状の前表面で終わる筒状端部を具備する。各スポークは、ハブに取付けるためのＴ字形状を有する拡大された頭部を有する。各スポークはまた、拡大された頭部に直近するフラット化されたスポーク本体部位を有する。ハブへの取付けのための拡大された頭部はハブ本体の筒状端部の内側へ収容され、スポーク本体のフラット部はハブ本体の環状の前表面に形成される凹所に収容される。ハブへの取付けのための拡大された頭部のＴ字形は、いったんスポークが締め付けられると、スポークは車輪の半径方向、リムに向かって動かないようにされている。他方、ハブの軸方向外側に向かうスポークの動きは、ハブの自由端に形成されかつ半径方向の内側に向かう環状のエッジによって防止され、このようなエッジは、隣接する凹所の個々の対の間を周方向に伸び、各スポークのハブへの取付けのための拡大された頭部の前表面上部のための当接面を形成している。このようなエッジはまた、凹所上にフラットスポーク本体部位の幅に等しいサイズの開口を形成している。
【特許文献１】米国特許公報第６，０３６，２７９号
【０００５】
本願出願人は、上述のタイプのハブは、スポークの緩み、または破断に起因してスポークが車輪の半径方向へハブの中心に向かって動く（即ち、スポークがその長手軸に沿ってハブの中心へ動く）と、続いてスポークが収容されている前側凹所から出てハブから外れ、よって車輪の正しい作動が危うくされる、かつ／または特にサイクリストがグループで走るレースの間はサイクリストにとって危険となり得るという欠点を有することを発見している。
【発明の開示】
【発明が解決しようとする課題】
【０００６】
従って本願出願人は、上述の欠点を保有しない自転車の車輪のためのハブを着想し、作製した。
【課題を解決するための手段】
【０００７】
従って本発明は、その第１の態様において、
長手軸Ｘ−Ｘに沿って伸びかつ両側に対置する一対の端部が装備された実質的に筒状である本体であって、前記一対の端部の少なくとも一方の端部は環状の前表面を備える前記本体と、
前記本体の前記環状の前表面に形成されかつ個々のスポークの端部を収容するようにされた複数の着座部と、
を備えた自転車の車輪のためのハブ本体において、
前記複数の着座部のうちの少なくとも幾つかの着座部は、全ての作動状況において前記スポークが前記長手軸Ｘ−Ｘに実質的に平行な方向に沿って動かないようにする保持手段を備えることを特徴とするハブ本体に関する。
【０００８】
本明細書及び特許請求の範囲における「ハブ本体」という表現は、自転車の車輪のスポークが装備される本体を指して使用される。これに対して「ハブ」という用語は、フロント・ハブの場合には自転車のフレームに関連するグループを、リヤ・ハブの場合にはハブ本体と、ハブ本体内側の長手シャフトと、スプロケットを搭載する本体とを備えるグループを指して使用される。
【０００９】
効果的には、本発明のハブ本体では、スポークがハブ本体の長手方向へ動かないようにする適切な保持手段を有する着座部がハブ本体の環状の前表面に形成されることによって、先行技術のハブに関する上述の欠点が克服される。従って、車輪の作動状態に関わらず、スポーク自体が車輪の中心に向かって半径方向へ動く原因となる緩みまたは破断の場合であっても、スポークは個々の着座部に保持される。
【００１０】
効果的には、本発明のハブ本体は、従来のラジアル配置（radial configuration）（即ち、車輪のスポークは全て放射方向へ向いている）及び交差配置(crossed configuration)
（即ち、ハブの一つの側で各スポークはそのハブの同じ側で少なくとも１つの他のスポークと交差している）による自転車の車輪の製造に適合する。好適には、ラジアル配置の場合、前記複数の着座部の全ての着座部は前述の保持手段を備える。これに対して交差配置の場合には、前記複数の着座部のうちの幾つかの着座部しか前述の保持手段を備えない。この点については、本明細書において後にさらに詳しく説明する。
【００１１】
さらに効果的には、本発明のハブ本体は、前輪及び後輪の双方のためのハブの製造に使用されることが可能である。好適には、後輪用の、またはディスク・ブレーキを伴う前輪用のハブの場合、本発明のハブ本体の両側の端部は異なり、それぞれラジアル配置及び交差配置を実現するように適合されるが、ディスク・ブレーキを伴わない前輪用のハブの場合には、本発明のハブ本体の両側の端部は好適には同一であり、より好適には双方がラジアル配置を実現するように適合される。
【００１２】
しかしながら当業者は、本発明のハブ本体が上記に関連して、本発明のハブ本体の両側端部が同一である（例えば共に交差している）後輪構造、本発明のハブ本体の両側端部が同一でありかつ共に交差した構造を実現するように適合された前輪構造、またはスポークが非放射状に配置される場合を包括する車輪構造等の補足的な、かつ／またはさほど好適でない構造の実現を可能にすることを理解するであろう。
【００１３】
好適には、保持手段は本発明のハブ本体の環状の前表面に一体的に形成され、少なくとも前述の着座部で部分的に伸びる。従って、好ましくは個々の着座部におけるスポークの保持は、ハブ本体自体への（及び／またはハブ本体とは別個の）追加のエレメントを用いる必要なしに達成される。これは、構造の単純化及びハブの製造コスト、重量及び不要な物の抑制に寄与し、よって自転車及び／または競輪用自転車の部品メーカーの現在の要望を満足する。
【００１４】
本発明の第１の好適な実施形態によれば、前述の保持手段は、所定の長さを有し、かつ前記実質的に筒状である本体に取り付けられるスポーク本体部位の断面の最大寸法より小さい開口を形成している。効果的には、このような開口を設けることは、長手方向にフラットな本体部を有するスポーク（例えば長方形または楕円形の断面を有するスポーク）及び特に断面においてこのような開口の周囲の長さより短い最小サイズ（例えばスポークの厚さ）及び開口の周囲の長さより長い最大サイズ（例えばスポークの幅）を有するスポークの本発明のハブ本体上への容易な組立てを可能にする。この点については、本明細書で後にさらに明確に説明する。
【００１５】
好適には、前記所定長さの開口は、前記複数の着座部の個々の着座部で片持ち式に伸びる少なくとも１つのエレメントによって画定される。
【００１６】
本発明のハブ本体の第１の実施形態では、前記所定の長さの開口は、個々の着座部で着座部自体の片側から片持ち式に伸びる単一のエレメントによって形成される。ある好適な実施形態では、前述の開口は、前記複数の着座部の個々の着座部で両側から伸びる１対のエレメントの間に形成される。ラジアル配置を有する車輪の場合、前述の単一のエレメントまたは前述のエレメント対のエレメントは個々の着座部で周方向に沿って伸びるのがより好ましい。
【００１７】
好適には、フラットスポークの場合、前述の開口の所定の長さは、前述の実質的に筒状である本体に取り付けられるフラットスポークの本体部の断面の最小サイズより大きく、前記フラットスポークの本体部の前述の断面の最大サイズより小さい。これに対して、円柱形のスポークの場合、前述の開口の所定の長さは、円柱形のスポーク本体部位の断面の直径より小さい。
【００１８】
本発明のハブ本体の別の実施形態によれば、保持手段は、前記複数の着座部の個々の着座部で（ラジアル配置を有する車輪の特定の場合には周方向に沿って）前記実質的に筒状である本体の環状の前表面との連続性が途切れることなく伸びる単一のブリッジ型エレメントを備える。このような場合、ハブ本体へのスポークの組立ては、使用されるスポークのタイプに関わらず、前述の第１の好適な実施形態の方法とは異なる方法によって実行される。この点については、本明細書で後にさらに明確に説明する。
【００１９】
好適には、前述の着座部は、個々のスポークのハブへの取付けのための頭部用の第１のハウジング部と、ハブへの取付けのための頭部に直近する前記スポークの本体部用の第２のハウジング部とを備え、保持手段は前述の第１のハウジング部に画定される。但し、個々の実施形態では、保持手段は前述の第２のハウジング部に、または前述の第１のハウジング部と前述の第２のハウジング部との間の領域に形成される場合がある。
【００２０】
本発明のハブ本体のさらに別の実施形態では、保持手段は、半径方向に、前述の実質的に筒状である本体の内側の方に、または、半径方向に、前述の本体の外側の方に伸びる。
【００２１】
本発明のハブ本体の前記好適な実施形態では、スポークのハブへの取付けのための頭部用のハウジング部は、前記スポークのハブへの取付けのための頭部のそれに合致する形状（好適には円錐台形）を有する。
【００２２】
既に述べたように、前述の着座部は、半径方向に配置されるスポーク配置、非半径方向に配置されるスポーク配置または交差されたスポーク配置を実現するように、本発明のハブ本体の環状の前表面で向きをとることが可能である。この最後の場合、好適には、本発明のハブ本体は、
前記実質的に筒状である本体の第１の端部の第１の環状部位に形成されかつ個々の第１のスポークの端部を収容するようにされた複数の第１の着座部と、
前記実質的に筒状である本体の前記第１の端部の第２の環状部位に形成されかつ個々の第２のスポークの端部を収容するようにされた複数の第２の着座部とを備え、
前記実質的に筒状である本体の前記第１の端部の前記第２の環状部位は前記長手軸Ｘ−Ｘに沿って前記実質的に筒状である本体の前記第１の端部の前記第１の環状部位に対して外側へ隣接配置され、前記複数の第１及び第２の着座部は、前記個々の第２のスポークの各スポークが前記個々の第１のスポークの少なくとも１つのスポークと交差するような向きに置かれており、
前記保持手段は、前記複数の第２の着座部に画定される。
【００２３】
このような場合、前述の複数の第２の着座部のうちの着座部における前述の第２のスポークの保持は、このようなスポークと前述の複数の第２の着座部のうちの着座部内に適切に設けられる保持手段との当接によって達成されるが、前述の複数の第１の着座部のうちの着座部における前述の第１のスポークの保持は、このようなスポークと前述の第２のスポークとの当接によって達成される。この点については、本明細書で後にさらに明確に説明する。
【００２４】
好適には、前記両側に対置される一対の端部は共に環状の前表面を備える。
【００２５】
本発明は、その第２の態様において、
個々のスポークの端部を収容するようにされた複数の着座部を備えるハブ本体と、
前記ハブ本体の内側を長手軸Ｘ−Ｘに沿って伸びかつ自転車のフレームに取り付けられるシャフトとを有する自転車の車輪用ハブにおいて、
前記ハブ本体は先に述べたタイプであることを特徴とするハブに関する。
【００２６】
従って、このようなハブは、本発明のハブ本体に関連して先に論じた効果的な特徴の全てを有する。
【００２７】
本発明は、その第３の態様において、
ハブと、
リムと、
前記ハブと前記リムとの間に伸張する複数のスポークとを備えた自転車の車輪において、
前記ハブは先に述べたタイプのハブ本体を備えることを特徴とする自転車の車輪に関する。
【００２８】
従って、このような車輪は、本発明のハブ本体に関連して先に論じた効果的な特徴の全てを有する。
【００２９】
本発明のさらなる特徴及び優位点は、図面を参照して行う幾つかの好適な実施形態に関する以下の詳細な説明から、より明確となるであろう。
【発明を実施するための最良の形態】
【００３０】
図１乃至５及び１２において、特に図１、５及び１２において、本発明の第１の実施形態によるハブ本体１０が例示され、図６乃至９及び１３乃至１５は本発明のハブ本体の別の実施形態をそれぞれ示す。
【００３１】
図面に示したハブ本体は、その内部に長手方向のシャフト１０ａ（図１６参照）を一体的に収容するようになっており、シャフト１０ａはその両側の自由端で自転車のフレーム（図示されていない）に関連するようになっている。このようなハブは、複数のスポーク１００を介して自転車の車輪のリム１０ｃに関連するようになっている。（図１７参照）。
【００３２】
前述の図に示すハブ本体１０は、長手軸Ｘ−Ｘに沿って伸びかつフランジ式の両側に対置する１対の端部２５、２６が設けられた実質的に筒状である本体２０を備え、両側端部２５、２６は、その上に複数の着座部が形成された個々の環状の前表面３５、３６を有し、前記着座部は全て（図１のハブ本体１０の配置に対して）左端部２５では４５で、右端部２６では４６、４７で個々に示されている。前述の着座部４５、４６、４７は各々、図３、５、１０、１３乃至１５及び１７に示す個々のスポーク１００の端部を収容するようになっている。
【００３３】
図１及び５に示すハブ本体１０は、（図１６及び１７に示す）自転車の後輪用の、またはディスク・ブレーキを伴う前輪用のハブ内で使用されるようになっている。ハブ本体１０において、端部２５の環状の前表面３５に形成された着座部４５は従来のラジアル配置（図２乃至５により分かりやすく示されている）に従ったスポーク１００の接続を可能にするような向きに置かれ、端部２６の環状の前表面３６に形成された着座部４６、４７は従来の交差配置（図１２により分かりやすく示されている）に従ったスポークの配置を可能にするような向きに置かれている。図面に示す前記特定のケースでは、端部２６は、自転車の後輪のハブ上への自転車のギヤシフトのスプロケット群の組立てに使用される、スプロケットを搭載する従来型の本体１０ｂ（図１６及び１７に示す）または前輪のブレーキ・ディスクを受け入れるようになっている。
【００３４】
本明細書を通じて、図面に示されているもののように、片側では放射状であって反対側では交差しているスポークを有する自転車の車輪のためのハブ本体が説明される。しかしながら当業者には、記載されている内容は、（好適には双方がラジアル配置または交差配置に従ったスポークの接続を可能にするように構成された）同じタイプの一対の端部２５及び２６を有するハブ本体のような異なる車輪のためのハブ本体にも適用可能であることが認識されるであろう。
【００３５】
図示されていない本発明のハブ本体の他の実施形態では、ハブの端部の環状の前表面に形成された着座部は、非放射方向及び非交差構造に従ったスポークの接続を可能にするように向けられることが可能である。
【００３６】
図２乃至５により分かりやすく示されているように、筒状の本体２０の端部２５の環状の前表面３５に形成された各着座部４５は、個々のスポーク１００のハブへの取付けのための頭部１１０用の第１のハウジング部４５０と、ハブへの取付けのための頭部１１０に直近する前記スポーク１００の本体部１２０用の第２のハウジング部４５５とを備える。より具体的には、スポーク１００のハブへの取付けのための頭部１１０用の第１のハウジング部４５０は、スポーク１００のハブへの取付けのための頭部１１０のそれに合致する形状を有し、かつ（ａ）ベース開口４５０ａと、（ｂ）前記ハブへの取付けのための頭部１１０が着座部４５の第１のハウジング部４５０に収容されると、スポーク１００のハブへの取付けのための頭部１１０と当接して協動するようになっている平らな前表面４５１と、（ｃ）スポーク１００の頭部１１０の側面部１１１、１１２に合致する形状を有する１対の円柱形の側面部４５２、４５３とを備える。スポーク１００がハブ上へ装備されて適切に締め付けられると、これらの側面部は着座部４５の第１のハウジング部４５０の側面部４５２、４５３に当接した状態となり、こうしてスポーク１００がスポーク自体の長手軸に沿って動く可能性は防止される。
【００３７】
本発明によれば、特に図２乃至５に示す本発明のハブ本体１０の実施形態では、各着座部４５はまた、特にスポーク１００が前述のハブ本体１０の長手軸Ｘ−Ｘに平行な方向に沿ってハブ本体１０自体の外側へ向かって動かないようにする１対のスポーク保持エレメント８０を備える。
【００３８】
図面に示す前記特定例では、スポーク保持エレメント８０はハブ本体１０の環状の前表面３５の一体部位であって、前述の着座部４５で片持ち式になるように周方向に単に部分的に伸びる。特に、エレメント８０の各々の対は、着座部４５の各第１のハウジング部４５０で両側に伸びて、先端でこのような第１のハウジング部４５０を画定ないし形成し、両者間に所定の周囲長さＬａの開口９０を形成している。開口９０は、図３、５及び１０に示すようなフラットスポークの本発明のハブ本体上への容易な組立てを可能にする。この点については、以下の本明細書で説明する。
【００３９】
図２はスポークが装備されていないハブ本体１０を示し、図３は、１００ａで示す、不完全な組立て構造及び／または緩められた状態で示されている１つを除いてスポークが全て正しく装備されている（即ち、ハブへの取付けのための個々の頭部１１０が着座部４５の適切な第１のハウジング部４５０に収容されている）構造におけるハブ本体１０を示している。図示を単純にするために、参照数字は、図示された全ての着座部及び全てのスポークで同じであることから、幾つかの着座部及び幾つかのスポークでのみ示されている。
【００４０】
図６及び７は、本発明のハブ本体の別の実施形態を示す。これらの図に示すハブ本体は、図１乃至５を参照して先に述べたものとは、エレメント８０の各々の対が、着座部４５の第１のハウジング部４５０で伸びる代わりに、ハブ本体１０の前表面３５の半径方向の外側領域で（図６）、及び着座部４５の第２のハウジング部４５５におけるハブ本体１０の前表面３５の中間領域で（図７）それぞれ伸びるという点のみで相違する。その他に関しては、図６及び７に示すハブ本体は、図１乃至５に示すハブ本体１０と全く同一であり、よってこれらの構造上の特徴についてはここで繰り返さない。またこの場合も、図示を単純にするために、参照数字は、図示された全ての着座部で同じであることから、１つの着座部でのみ示されている。
【００４１】
図８は、本発明のハブ本体のさらに別の実施形態を示す。この図に示すハブ本体は図６を参照して先に述べたものとは、各着座部４５が、開口９０によって分離された一対のエレメント８０ではなく、着座部４５でその片側から着座部自体の外周長さの一部に渡って片持ち式に伸びる単一のエレメント８０ａを備え、このようなエレメント８０ａと着座部４５の反対側との間に所定の長さＬaの開口９０が画定ないし形成されるという点のみで相違する。その他に関しては、図８に示すハブ本体は図１乃至５に示すハブ本体１０と全く同一であり、よってこれらの構造上の特徴についてはここで繰り返さない。またこの場合も、図示を単純にするために、参照数字は、図示された全ての着座部で同じであることから１つの着座部でのみ示されている。
【００４２】
図９及び１０は、それぞれスポークなしの構造及びスポークが装備された構造における本発明のハブ本体のさらに別の実施形態を示す。これらの図に示すハブ本体は、図１乃至５を参照して先に述べたものとは、各着座部４５が、開口９０によって分離された１対のエレメント８０ではなく、着座部４５でブリッジのように着座部自体の全外周長さに渡って、ハブ本体１０の環状の前表面３５との連続性が途切れることなしに伸びる単一のエレメント８１を備えるという点のみで相違する。その他に関しては、図９及び１０に示すハブ本体は図１乃至５に示すハブ本体１０と全く同一であり、よってこれらの構造上の特徴についてはここで繰り返さない。またこの場合も、図示を単純にするために、参照数字は、図示された全ての着座部で同じであることから１つの着座部でのみ示されている。
【００４３】
図１１は、さらに別の本発明のハブ本体の実施形態を示す。これらの図に示すハブ本体と図９及び１０を参照して先に述べたものとは、各着座部４５が、ハブ本体１０の内側へ向かって半径方向にブリッジのように、かつハブ本体１０の環状の前表面３５との連続性が途切れることなしに、着座部自体の外周長さに等しい（好適にはこれより長い）長さの部位に渡って着座部４５の円周上に伸びる単一のエレメント８２を備えるという点のみで相違する。その他に関しては、図１１に示すハブ本体は図１乃至５に示すハブ本体１０と全く同一であり、よってこれらの構造上の特徴についてはここで繰り返さない。またこの場合も、図示を単純にするために、参照数字は、全ての着座部で同じであることから１つの着座部でのみ示されている。
【００４４】
既に述べたように、図１２は、先に説明した端部２５とは反対側の、従来の交差配置に従ったスポークの接続に適合した端部２６を示す。この場合もやはり、着座部４６及び４７は各々、スポーク１００のハブへの取付けのための頭部１１０用の第１のハウジング部４６０、４７０と、ハブへの取付けのための頭部１１０に直近するスポークの本体部１２０用の第２のハウジング部４６５、４７５とを備える。端部２６の環状の前表面３６上での着座部４６及び４７の配置及び／または向きは、例えば特許文献１が示すようにまったく常套的なものであるのでここでは説明を省く。
【００４５】
またこの場合も、図示を単純にするために、参照数字は、全ての着座部で同じであることから着座部自体の幾つかについてのみ示されている。
【００４６】
図１２に示すように、着座部４６は端部２６の第１の環状部２６１上に形成されかつ従来型（即ち保持エレメント８０、８０ａ、８１または８２はなし）であるのに対して、着座部４７は第１の環状部２６１に隣接し、長手軸Ｘ−Ｘに沿ってその外側にある第２の環状部２６２に形成され、かつ本発明による保持エレメント８０が設けられている。このような方法では、スポークが適切な着座部４６及び４７に装備されると、着座部４７内に装着されたスポークはスポーク自体の長手軸に沿って動くどんな可能性も防止され、このようなスポークは、これらが交差しかつ着座部４６に装備される個々のスポークのどんな動きも防止する。
【００４７】
着座部４７は反対側の前表面３５上に設けられる着座部４５と全く同一であり（環状の前表面３５上での向きが異なることは別にして）、よって本明細書ではこれ以上詳述しない。着座部４７とは保持エレメント８０、８０ａ、８１または８２を持たないという点によってのみ相違する着座部４６についても同様である。
【００４８】
図示されていない可能な変形例においては、着座部４７の第１のハウジング部４７０は各々、着座部４６の個々の第１のハウジング部４６０と部分的に重複し、このようにして、スポークが適切な着座部４６及び４７に装備されると、着座部４７内に装備されたスポークは、着座部４６に装備されたスポークのハブへの取付けのための頭部１１０と重複する個々のハブへの取付けのための頭部１１０を有する。
【００４９】
図１３は、本発明のハブ本体のさらに別の実施形態を示す。特にこのような図は、従来型の交差配置に従った円柱形のスポーク、特に円錐台の頭部を有する円柱形のスポークの接続に適合した端部２６を示す。この場合もやはり、着座部４６及び４７は各々、スポーク１００のハブへの取付けのための頭部１１０用の第１のハウジング部４６０、４７０と、ハブへの取付けのための頭部１１０に直近するスポークの本体部１２０用の第２のハウジング部４６５、４７５とを備える。個々のスポーク１００のハブへの取付けのための頭部１１０の第１のハウジング部４６０、４７０は、個々のスポーク１００のハブへの取付けのための頭部１１０のそれに合致する形状を有する個々の側面４６２、４７２を備える。端部２６の環状の前表面３６上での着座部４６及び４７の配置及び／または向きは完全に従来式であるのでここでの説明は省く。
【００５０】
図１３に示すように、着座部４６は従来型（即ち保持エレメント８０、８０ａ、８１または８２はなし）であるのに対して、着座部４７には本発明による保持手段が設けられている。特に、この保持手段は、対置する一対の保持エレメント８０を備え、両者間にスポーク本体１００の直径Ｄより短い長さＬａの開口を形成している。このような方法では、スポークが適切な着座部４６及び４７に装備されると、着座部４７内に装着されたスポークはスポーク自体の長手軸に沿って動くどんな可能性も防止され、このようなスポークは、これらが交差しかつ着座部４６内に装備される個々のスポークのどんな動きも防止する。
【００５１】
図１４及び１５は、本発明のハブ本体の別の実施形態を示す。このような実施形態は、保持手段がハブ本体１０の環状の前表面３６との連続性が途切れることなしに着座部４７でブリッジのように伸びる単一のエレメント８１を備える点で図１３に示すものとは異なる。図１４に示す具体例では、エレメント８１はスポーク１００のハブへの取付けのための頭部１１０用の第１のハウジング部４７０で形成されるのに対して、図１５に示す具体例では、エレメント８１はハブへの取付けのための頭部１１０に直近するスポークの本体部位１２０用の第２のハウジング部４７５で形成されている。
【００５２】
図１乃至５に示すハブ本体１０の実施形態及び図６乃至１０及び１３に示す変形例において、スポークが破断または緩んだ場合、図３においてスポーク１００ａに関して示すように（明らかに、幅ＬRは開口９０の長さＬaより大きい）、着座部４５から離れようとするスポーク１００の動きの可能性は、一対の保持エレメント８０によりスポーク自体の側面における反作用によって防止される。
【００５３】
このような保持効果が、フラットスポーク及びハブへの取付けのための頭部１１０に直近する、開口９０の長さＬａより大きい直径Ｄを有する円柱型の部位１２０を有するスポークの双方に関して得られることは明白である。
【００５４】
同様にして、図９乃至１１に示すハブ本体１０の実施形態では、スポークが破断または緩んだ場合、着座部４５から離れようとするスポーク１００の動きの可能性は、ブリッジ・エレメント８１、８２によりスポーク自体の側面における反作用によって防止される。
【００５５】
これに対して、図１２及び１３に示す変形例の交差配置を参照すると、着座部４７内に装備されたスポークの保持は、このようなスポークと着座部４７内に適切に設けられた保持エレメント８０との当接により達成され、着座部４６内に装備されたスポークの保持は、このようなスポークと着座部４７内に装備されたスポークとの当接により達成される。
【００５６】
同様にして、図１４及び１５に示すハブ本体１０の実施形態では、スポークが破断した、または緩んだ場合、着座部４７から離れようとするスポーク１００の動きの可能性は、ブリッジ・エレメント８１によりスポーク自体の側面における反作用によって防止される。
【００５７】
以下、先に説明したハブ本体のいろいろな実施形態におけるそれぞれの着座部におけるスポークの組立てオペレーションを説明する。単純さを期して、図２乃至１１に示すようなラジアル配置を参照する。
【００５８】
図１乃至８に示すハブ本体１０の実施形態に関して、このようなハブ本体の使用が、開口９０の外周の長さＬaより大きい幅ＬRと前記長さＬaより小さい厚さＳRとを有する例えば図５に示すスポーク１００のようなフラットスポークの容易な組立てを可能にすることは既に述べた。厚さＳRを有するスポークを開口９０の前に単に置き、次にスポークを開口９０を介して個々の着座部４５内へ導入されるまで動かし、かつ最後にスポークをそれ自身の長手軸を中心にして９０゜回転させ、これをその幅ＬRの部位がハブ本体１０の環状の前表面３５に実質的に平行に配置された状態に置くことによって、個々の着座部４５におけるこのようなスポークの組立ては行なわれる。スポーク１００は次に、ハブへの取付けのための頭部１１０が着座部４５の第１のハウジング部４５０に完全に収容されるまでハブ本体１０の外側へ向かって半径方向に（即ちリムへ向かって）動かされる。
【００５９】
同じ組立て方法は、２つの異なる寸法によって形成される断面を有するいかなるタイプのスポーク、特に断面において開口９０の周囲の長さＬaより小さい最小サイズ（例えばスポークの厚さＳR）及び開口９０の前述の周囲の長さＬaより大きい最大サイズ（例えばスポークの幅ＬR）を有する長手方向にフラットな本体部位１２０を有するスポーク（例えば長方形または楕円形の断面を有するスポーク）でも達成されることは明白である。
【００６０】
これに対して、図９乃至１１に示すハブ本体１０の実施形態については、ハブ本体上へのスポークの組立てオペレーションにおいて、スポークはまず、そのリムへの取付けのための端をハブ本体１０の端部２５の中心で、前表面４５１と着座部４５内に設けられたブリッジを形成する保持エレメント８１との間の第１のハウジング部４５０に形成されたベース開口４５０ａを介して挿入される。スポークは次に、ハブへの取付けのための頭部１１０が着座部４５の第１のハウジング部４５０に収容されるまでハブ本体の外側へ向かって（即ちリムへ向かって）半径方向へ動かされる。
【００６１】
ハブへの取付けのための頭部１１０に直近する、開口９０の周囲の長さＬaより大きい直径Ｄを有する円柱型の部位１２０を有するスポークの場合には、組立てオペレーションは、使用されるスポークのタイプにより異なる方法で行なわれることができる。
【００６２】
例えば、スポークが完全な円柱形であれば、組立てオペレーションは、（保持手段が一対のエレメント８０よりなるか、単一のブリッジ・エレメント８１、８２よりなるかに関わらず）図９及び１０を参照して先に説明したものに類似する。このような場合、スポークはまず、そのリムへの取付けのための端をハブ本体１０の端部２５の中心で着座部４５の第１のハウジング部４５０に形成されたベース開口４５０ａを介して挿入され、ハブへの取付けのための頭部１１０が着座部４５の第１のハウジング部４５０に収容されるまでハブ本体の外側へ向かって（即ちリムへ向かって）半径方向へ動かされる。これに対して、スポークが厚さＳ及び幅ＬRを有する少なくとも１つのフラットな領域を具備し、かつ着座部がスポークのフラットな領域の厚さＳより大きくスポークの幅ＬRより小さい周囲の長さＬaの開口９０を有する１対の保持エレメント８０を備えていれば、組立てオペレーションは、フラットスポークについて先に説明したものと全く同様である。特にスポークは、その厚さＳのフラットな領域を開口９０の前に置かれる。次にスポークは、個々の着座部４５へと導入されるまで開口９０を介して動かされ、最終的にスポークは、その長手軸を中心にして９０゜回転され、その幅ＬRの部位がハブ本体１０の環状の前表面３５に実質的に平行に配置される。スポークは次に、ハブへの取付けのための頭部１１０が着座部４５の第１のハウジング部４５０に完全に収容されるまでハブ本体１０の外側へ向かって（即ちリムへ向かって）半径方向へ動かされる。
【図面の簡単な説明】
【００６３】
【図１】本発明によるハブ本体の第１の実施形態の略側面図である。
【図２】図１のハブ本体の左端部の略正面図である。
【図３】全てのスポークが装着された構造（ただし、組立て及び／または締め付けステップにおいて示されている１つを除く）における図１のハブ本体の左端部の略正面図である。
【図４】図１のハブ本体の左端部の詳細を示す略拡大斜視図である。
【図５】スポークが装着された構造における図４の詳細を示す略拡大斜視図である。
【図６】本発明のハブ本体の第２の実施形態の一方の端部の詳細を示す略拡大斜視図である。
【図７】本発明のハブ本体の第３の実施形態の一方の端部の詳細を示す略拡大斜視図である。
【図８】本発明のハブ本体の第４の実施形態の一方の端部の詳細を示す略拡大斜視図である。
【図９】本発明のハブ本体の第５の実施形態の一方の端部の詳細を示す略拡大斜視図である。
【図１０】スポークが装着された構造における図９の詳細を示す略拡大斜視図である。
【図１１】本発明のハブ本体の第６の実施形態の一方の端部の詳細を示す略拡大斜視図である。
【図１２】図１のハブ本体の右端部の略斜視図である。
【図１３】１つのスポークが装着された構造における本発明のハブ本体の第７の実施形態の一方の端部の詳細を示す略拡大斜視図である。
【図１４】１つのスポークが装着された構造における本発明のハブ本体の第８の実施形態の一方の端部の詳細を示す略拡大斜視図である。
【図１５】本発明のハブ本体の第９の実施形態の一方の端部の詳細を示す略拡大斜視図である。
【図１６】図１のハブ本体を備えるハブの略正面図である。
【図１７】図１６のハブを備える車輪の略斜視図である。
【符号の説明】
【００６４】
１０    ハブ本体
２０    筒状の本体
２５    端部
２６    端部
３５    前表面
３６    前表面
４５    着座部
４６    着座部
４７    着座部
８０    保持エレメント
８０ａ  保持エレメント
８１    ブリッジエレメント
８２    ブリッジエレメント
１００    スポーク
１１０    スポークの頭部
１２０    スポークの本体
Ｘ−Ｘ    長手軸
【図１】
2006021765.tif 000003
【図２】
2006021765.tif 000004
【図３】
2006021765.tif 000005
【図４】
2006021765.tif 000006
【図５】
2006021765.tif 000007
【図６】
2006021765.tif 000008
【図７】
2006021765.tif 000009
【図８】
2006021765.tif 000010
【図９】
2006021765.tif 000011
【図１０】
2006021765.tif 000012
【図１１】
2006021765.tif 000013
【図１２】
2006021765.tif 000014
【図１３】
2006021765.tif 000015
【図１４】
2006021765.tif 000016
【図１５】
2006021765.tif 000017
【図１６】
2006021765.tif 000018
【図１７】
2006021765.tif 000019